(57)【要約】【課題】ＰＤＰ（プラズマディスプレイパネル）の点灯検査において、信号伝達手段の接触端子をＰＤＰの電極端子に接触させたときの接触不良などを少数の点灯パターンによって検出し、生産性向上を図る。【解決手段】走査電極および維持電極からなる表示電極が複数形成された第１基板と、前記表示電極に垂直に複数のアドレス電極が形成された第２基板とを対向して配置し、前記表示電極と前記アドレス電極との立体交差部に形成される複数の放電セルにより表示領域を構成したプラズマディスプレイパネルの点灯検査方法において、前記表示領域を、前記アドレス電極に沿って少なくとも３つの領域Ｒ１、Ｒ２、Ｒ３が存在するように分け、それぞれの前記領域Ｒ１、Ｒ２、Ｒ３では三原色の単色表示を行うとともに、前記アドレス電極に沿って三原色の全ての色が表示されるように駆動して検査する。【選択図】図７
2007294176.tif 000002
【特許請求の範囲】
【請求項１】
走査電極および維持電極からなる表示電極が複数形成された第１基板と、前記表示電極に垂直に複数のアドレス電極が形成された第２基板とを対向して配置し、前記表示電極と前記アドレス電極との立体交差部に形成される複数の放電セルにより表示領域を構成したプラズマディスプレイパネルの点灯検査方法において、前記表示領域を、前記アドレス電極に沿って少なくとも３つの領域が存在するように分け、それぞれの前記領域では三原色の単色表示を行うとともに、前記アドレス電極に沿って三原色の全ての色が表示されるように駆動して検査することを特徴とするプラズマディスプレイパネルの点灯検査方法。
【請求項２】
それぞれの前記領域は、前記表示電極に平行なストライプ形状であることを特徴とする請求項１に記載のプラズマディスプレイパネルの点灯検査方法。
【請求項３】
前記アドレス電極の電極端子が前記第２基板の端部に形成されており、前記領域のうち、前記電極端子から最も遠い領域において白色表示をするように駆動して検査することを特徴とする請求項１に記載のプラズマディスプレイパネルの点灯検査方法。
【請求項４】
走査電極および維持電極からなる表示電極が複数形成された第１基板と、前記表示電極に垂直に複数のアドレス電極が形成された第２基板とを対向して配置し、前記表示電極と前記アドレス電極との立体交差部に形成される複数の放電セルにより表示領域を構成するとともに、前記表示電極に沿って並んだ前記放電セルによって行が構成されたプラズマディスプレイパネルの点灯検査方法において、前記表示領域を、前記表示電極に沿って複数の領域が存在するように分け、前記複数の領域において、すべての行を点灯させる領域と、１行おきに点灯させる領域を設けて検査することを特徴とするプラズマディスプレイパネルの点灯検査方法。
【請求項５】
前記走査電極の電極端子が前記第１基板の端部に形成されており、前記領域のうち、前記電極端子から最も遠い領域においてすべての行を点灯させるように駆動して検査することを特徴とする請求項４に記載のプラズマディスプレイパネルの点灯検査方法。
【請求項６】
前記表示電極に沿って並んだ前記放電セルによって行が構成され、前記表示領域を、前記表示電極に沿って複数の領域が存在するように分け、前記複数の領域において、すべての行を点灯させる領域と、１行おきに点灯させる領域を設けて検査することを特徴とする請求項１ないし３のいずれかに記載のプラズマディスプレイパネルの点灯検査方法。
【請求項７】
前記走査電極の電極端子が前記第１基板の端部に形成されており、前記領域のうち、前記電極端子から最も遠い領域においてすべての行を点灯させるように駆動して検査することを特徴とする請求項６に記載のプラズマディスプレイパネルの点灯検査方法。
【発明の詳細な説明】
【技術分野】
【０００１】
本発明は、プラズマディスプレイパネル（ＰＤＰ）に駆動回路を実装する前に点灯信号を入力し、点灯表示して検査を行うＰＤＰの点灯検査方法に関する。
【背景技術】
【０００２】
一般に、ＰＤＰは駆動回路が実装され製品化される。製造工程では、実装工程への不良パネルの流出を防ぐため、駆動回路を実装する前に点灯検査装置を用いてＰＤＰに点灯信号を入力し、点灯検査を行っている（例えば特許文献１参照）。従来のＰＤＰの点灯検査装置について、その構成を示す図１５を用いて説明する。
【０００３】
図１５において１はＰＤＰであり、ＰＤＰ１は、複数の電極が形成された前面基板と複数の電極が形成された背面基板とを、間に放電空間を形成するように対向して配置した構成であり、ＰＤＰ１の周辺端部には電極端子が形成されている。ＰＤＰ１は、全体ベース２上に設けたパネル受け手段３の上の所定位置に載置される。全体ベース２には、ＰＤＰ１を保持するためのパネル保持手段４が設けられており、ＰＤＰ１の短辺側には点灯信号供給手段５が配置され、ＰＤＰ１の長辺側には点灯信号供給手段６が配置されている。なお、図１５では図示を省略しているが、通常はＰＤＰ１のもう一方の短辺側にも点灯信号供給手段５が設けられ、また、ＰＤＰ１のタイプに応じてＰＤＰ１のもう一方の長辺側に点灯信号供給手段６が設けられている。
【０００４】
点灯信号供給手段５、６は、ＰＤＰ１の電極端子に接続してＰＤＰ１に点灯信号を供給するための信号伝達手段と、信号伝達手段をＰＤＰ１の電極端子に接触させてその状態を維持するための接触維持手段とを有している。信号伝達手段は、例えば、ＰＤＰ１の電極端子に接触するための接触端子が一端部に形成されたＦＰＣ（フレキシブルプリント基板）によって構成される。
【０００５】
次に点灯検査装置の動作について図１５を参照して説明する。点灯検査対象のＰＤＰ１をパネル保持手段４により保持した後、パネル保持手段４を下降させることによりＰＤＰ１をパネル受け手段３上の所定位置に載置する。次に、点灯信号供給手段５、６をＰＤＰ１に近づく方向へ移動させた後、信号伝達手段の接触端子をＰＤＰ１の電極端子に接触させ、その状態を維持する。そして、ＰＤＰ１の電極端子に点灯信号供給手段５、６から信号が印加されてＰＤＰ１が点灯し点灯検査が行われる。点灯検査が行われるときの表示パターンは、各検査項目に応じて予め決められており、検査手順に従って表示パターンを切替えて点灯検査を行う。点灯検査終了後は、ＰＤＰ１の取り外し、交換が行われ、上記同様の動作で点灯検査が繰り返される。
【０００６】
ここで、ＰＤＰ１の電極端子と信号伝達手段の接触端子とを接触させた状態を図１６に示す。ＰＤＰ１の電極７は、表示を行う領域（表示領域）では所定の間隔をあけて配置されているが、表示領域の外側の引き出し電極部８で電極間隔が絞られ、基板端部に形成された電極端子９の間隔は電極７の間隔よりも狭くなっている。ＰＤＰ１の電極端子９のピッチとしては、例えば、４２型のＰＤＰ１のアドレス電極につながる電極端子９の場合には３００μｍ程度である。信号伝達手段１０の接触端子１１のピッチは電極端子９のピッチと同じである。ＰＤＰ１を点灯検査する際、ＰＤＰ１の電極端子９と信号伝達手段１０の接触端子１１とを、短絡および開放が無きよう確実に接触させる必要があるが、例えば前述の電極端子９のピッチの場合であれば数十μｍの位置合わせの精度が要求される。
【０００７】
複数のＰＤＰ１の取り外し、交換が行なわれると、ＰＤＰ１の電極端子９と信号伝達手段１０の接触端子１１との位置合わせずれや、電極端子９およびその近傍部分へのダストなど異物の付着などにより、ＰＤＰ１の電極端子９と信号伝達手段１０の接触端子１１とを接触させる際に、隣接の電極端子９間の短絡や電極端子９と接触端子１１とが接触しない開放が発生することがある。ＰＤＰ１の点灯検査を行う際には、信号伝達手段１０の接触端子１１をＰＤＰ１の電極端子９に接触させたとき、前述のような短絡や開放が生じているか否かを検出する必要がある。
【特許文献１】特開２００４−１７０２４２号公報
【発明の開示】
【発明が解決しようとする課題】
【０００８】
しかしながら、信号伝達手段１０の接触端子１１をＰＤＰ１の電極端子９に接触させたとき、前述のような短絡や開放が生じているか否かを検出するために、多くの点灯パターンを切り替えて表示し、各点灯パターンでの表示状態を観察して検査する必要があり、このための検査時間がかかっていた。
【０００９】
本発明はこのような課題を解決するためになされたものであり、ＰＤＰの点灯検査において、信号伝達手段１０の接触端子１１をＰＤＰ１の電極端子９に接触させたときの接触不良などを少数の点灯パターンによって検出し、生産性向上を図ることを目的とする。
【課題を解決するための手段】
【００１０】
上記目的を達成するために、本発明は、走査電極および維持電極からなる表示電極が複数形成された第１基板と、前記表示電極に垂直に複数のアドレス電極が形成された第２基板とを対向して配置し、前記表示電極と前記アドレス電極との立体交差部に形成される複数の放電セルにより表示領域を構成したプラズマディスプレイパネルの点灯検査方法において、前記表示領域を、前記アドレス電極に沿って少なくとも３つの領域が存在するように分け、それぞれの前記領域では三原色の単色表示を行うとともに、前記アドレス電極に沿って三原色の全ての色が表示されるように駆動して検査することを特徴とするプラズマディスプレイパネルの点灯検査方法である。
【発明の効果】
【００１１】
本発明によれば、少数の点灯パターンによってＰＤＰの電極の断線、隣接する電極の短絡、または電極端子と信号伝達手段の接触端子との接触不良を検出することができ、短時間で効率よく点灯検査を行うことができる。
【発明を実施するための最良の形態】
【００１２】
以下、本発明の実施の形態について、図面を参照しつつ説明する。
【００１３】
（実施の形態１）
ＰＤＰの構造について図１を用いて説明する。前面基板（第１基板）２１上には、ストライプ状の走査電極２２およびストライプ状の維持電極２３からなる表示電極２４が行方向に平行に複数形成されており、表示電極２４を覆うように誘電体層２５が形成され、誘電体層２５上に保護層２６が形成されている。また、前面基板２１に対向して配置された背面基板（第２基板）２７上にはストライプ状のアドレス電極２８が列方向に平行に複数形成されており、アドレス電極２８を覆うように誘電体層２９が形成されている。誘電体層２９上にはアドレス電極２８の間に位置するようにアドレス電極２８に平行な隔壁３０が形成されている。隔壁３０間には赤色（Ｒ）、緑色（Ｇ）または青色（Ｂ）を発光する蛍光体層３１が形成されている。前面基板２１と背面基板２７の周囲はフリットガラスのような封着部材で封着されており、内部に形成される放電空間にはネオン（Ｎｅ）とキセノン（Ｘｅ）などの混合ガスが封入されている。
【００１４】
行方向に形成された表示電極２４と列方向に形成されたアドレス電極２８との立体交差部に放電セルが形成される。この放電セルは、表示を行う際の最小単位であり、複数の放電セルにより表示を行うための表示領域が構成される。表示電極２４に沿って並んだ放電セルによって表示の行が構成される。走査電極２２と維持電極２３との間に交流電圧を印加して、各放電セルにおいて放電によって生じる真空紫外線により蛍光体層３１を発光させ、前面基板２１を透過する光で画像表示を行うものである。
【００１５】
図２はＰＤＰ１の平面図であり、同図（ａ）は背面側から見た図であり、同図（ｂ）は前面側から見た図である。前面基板２１および背面基板２７の平面形状は長方形であり、通常、走査電極２２および維持電極２３は前面基板２１の長辺に対して平行（水平方向）に形成され、アドレス電極２８は背面基板２７の短辺に対して平行（垂直方向）に形成されている。そして、前面基板２１の短辺側の端部（左端部、右端部）には、走査電極２２または維持電極２３につながった電極端子（走査電極端子２２ａ、維持電極端子２３ａ）が形成され、背面基板２７の長辺側の端部（上端部、下端部）には、アドレス電極２８につながった電極端子（アドレス電極端子２８ａ）が形成されている。なお、アドレス電極端子２８ａが背面基板２７の上端部または下端部のどちらか一方に形成されたタイプ（シングルスキャンタイプ）と、アドレス電極２８が背面基板２７の上半分と下半分とに分けて形成され、アドレス電極端子２８ａが背面基板２７の上端部および下端部に形成されたタイプ（デュアルスキャンタイプ）とがある。デュアルスキャンタイプでは、上半分のアドレス電極２８と下半分のアドレス電極２８とは接続されておらず、垂直方向の中央部分で離れている。
【００１６】
図３はＰＤＰ１のセル配列を模式的に示した図であり、赤色を発光する蛍光体層３１を有する放電セル（Ｒセル）３２、緑色を発光する蛍光体層を有する放電セル（Ｇセル）３３および青色を発光する蛍光体層を有する放電セル（Ｂセル）３４からなる画素がｍ行ｎ列に配列されている。図３において、符号Ｘ１〜Ｘｍは１行〜ｍ行の放電セルの配列符号を示し、符号ＡＲ１〜ＡＲｎは１列〜ｎ列のＲセル３２の配列符号を示し、符号ＡＧ１〜ＡＧｎは１列〜ｎ列のＧセル３３の配列符号を示し、符号ＡＢ１〜ＡＢｎは１列〜ｎ列のＢセル３４の配列符号を示している。
【００１７】
図４は、本実施の形態におけるＰＤＰ１を駆動するときのサブフィールド構成を示している。１フィールドは例えば８つのサブフィールド（１ＳＦ〜８ＳＦ）により構成され、各サブフィールドは初期化期間、アドレス期間および維持期間を有している。初期化期間では次のアドレス期間でのアドレス放電を容易にするための初期化放電を行う。アドレス期間ではオンさせる（点灯させる）放電セルとオフさせる（点灯させない）放電セルを選択するためのアドレス放電を行う。維持期間ではアドレス期間においてオンさせるように選択された放電セルにおいて維持放電を所定の期間発生させる。各サブフィールドの維持期間は、サブフィールド毎に設定された輝度に対応して重み付けされており、各サブフィールドのオン、オフを制御することにより中間階調を表現する。例えば、１ＳＦ〜８ＳＦの各サブフィールドの重み付けを１：２：４：８：１６：３２：６４：１２８とすることにより、オンさせるサブフィールドの組み合わせによって２５６階調の表示を実現することができる。
【００１８】
図５は、ＰＤＰ１の駆動方法を説明するための駆動波形図である。第１のサブフィールド（１ＳＦ）の初期化期間では、全てのアドレス電極および全ての維持電極を０（Ｖ）に保持し、全ての走査電極に放電開始電圧以下となる電圧Ｖｐ（Ｖ）から、放電開始電圧を超える電圧Ｖｒ（Ｖ）に向かって緩やかに上昇するランプ電圧を印加することにより、全ての放電セルにおいて微弱放電を起こし、維持電極上およびアドレス電極上に正の壁電荷を蓄え、走査電極上に負の壁電荷を蓄える。その後、全ての維持電極を正電圧Ｖｈ（Ｖ）に保ち、全ての走査電極にＶｇ（Ｖ）からＶａ（Ｖ）に向かって緩やかに下降するランプ電圧を印加することにより、全ての放電セルにおいて微弱放電を起こし、各電極上に蓄えられた壁電荷を弱める。このような初期化放電を起こすことにより、放電セル内の電圧は放電開始電圧に近い状態となる。
【００１９】
１ＳＦの書き込み期間では、１行目から順に走査電極に走査パルス電圧Ｖｂ（Ｖ）を印加すると同時に、映像信号にしたがって所望のアドレス電極に書き込みパルス電圧Ｖｗ（Ｖ）を印加することにより、表示を行うべき放電セルにのみアドレス放電を起こす。これにより、映像信号に対応した壁電荷が放電セルに形成される。
【００２０】
１ＳＦの維持期間では、全ての走査電極および全ての維持電極に維持パルス電圧Ｖｍ（Ｖ）を交互に印加することにより、アドレス放電を起こした放電セルにおいて維持放電を起こす。この維持放電に伴う発光により画像表示が行われる。
【００２１】
第２のサブフィールド（２ＳＦ）の初期化期間が始まる時点では、１ＳＦで維持放電を行った放電セルでは維持電極上ならびにアドレス電極上には正の壁電荷が存在し、走査電極上には負の壁電荷が存在している。２ＳＦの初期化期間において、全ての維持電極をＶｈ（Ｖ）に保持し、全てのアドレス電極を０（Ｖ）に保持し、全ての走査電極にＶｍ（Ｖ）からＶａ（Ｖ）に向かって緩やかに下降するランプ電圧を印加する。このランプ電圧が下降する間に、直前のサブフィールド（１ＳＦ）で維持放電を行った放電セルでは微弱放電が発生し、各電極上に形成された壁電荷が弱められ、放電セル内の電圧は放電開始電圧に近い状態となる。一方、１ＳＦでアドレス放電および維持放電を行わなかった放電セルについては、２ＳＦの初期化期間において微弱放電することはなく、１ＳＦの初期化期間終了時における壁電荷状態が保たれている。
【００２２】
２ＳＦの書き込み期間および維持期間については、１ＳＦの場合と同様の波形を印加することにより、映像信号に対応した放電セルにおいて維持放電を発生させる。また、第３〜第８のサブフィールド（３ＳＦ〜８ＳＦ）については、２ＳＦと同じ駆動波形を各電極に印加することにより、所望の画像表示が行われる。
【００２３】
このように、１ＳＦでは全ての放電セルで初期化放電が発生するという完全初期化動作が行われ、２ＳＦ〜８ＳＦでは直前のサブフィールドにおいて維持放電が発生した放電セルでのみ初期化放電が発生するという選択初期化動作が行われる。したがって、表示発光に寄与しない発光である各サブフィールドの初期化期間での発光は、ランプ波形電圧に伴う微弱発光であり、２ＳＦ〜８ＳＦでは選択初期化動作を行うため全ての放電セルで発光するわけではないので、コントラストの高い映像表示が可能となる。
【００２４】
図５に示した駆動波形は、シングルスキャンタイプのＰＤＰを駆動するためのものである。デュアルスキャンタイプのＰＤＰを駆動する場合には、アドレス期間において、上半分の領域に形成された走査電極と下半分の領域に形成された走査電極に、ほぼ同じタイミングで走査パルス電圧を印加するとともに、各領域の走査電極に順番に走査パルス電圧を印加する。デュアルスキャンタイプのＰＤＰを駆動するときの初期化期間および維持期間における駆動波形は、シングルスキャンタイプの場合と同じでよい。
【００２５】
図６は、本実施の形態におけるＰＤＰの点灯検査装置のブロック構成図である。ＰＤＰの点灯検査装置は、ＰＤＰ１の走査電極２２に駆動信号を供給するための走査電極ドライバ３５、維持電極２３に駆動信号を供給するための維持電極ドライバ３６、アドレス電極２８に駆動信号を供給するためのアドレス電極ドライバ３７と、点灯させるサブフィールドを制御するためのサブフィールド制御回路３８、サブフィールドの点灯パターンを格納するためのプログラマブルメモリー３９、制御用ＰＣ（制御用パソコン）４０により構成されている。点灯検査時におけるＰＤＰ１と走査電極ドライバ３５、維持電極ドライバ３６およびアドレス電極ドライバ３７との電気的な接続は、図１５に示したように点灯信号供給手段５、６を通じて行われる。点灯検査時における点灯信号供給手段５、６などの動作は、図１５および図１６を用いて説明したものと同じである。点灯検査の終了後は、ＰＤＰ１の取り外し・交換が行われ、上記と同様の動作で点灯検査が繰り返される。
【００２６】
以上のように構成された点灯検査装置を用いてＰＤＰ１の点灯検査を行う方法について以下に説明する。
【００２７】
図１５において、走査電極側および維持電極側の点灯信号供給手段５は、走査電極２２および維持電極２３の電極端子にそれぞれ電気的に接続され、アドレス電極側の点灯信号供給手段６は、アドレス電極２８の電極端子に電気的に接続される。そして、点灯信号供給手段５、６を介して、走査電極ドライバ３５、維持電極ドライバ３６およびアドレス電極ドライバ３７から各電極に点灯信号を供給してＰＤＰ１を点灯表示し、点灯検査を行う。
【００２８】
図７は、ＰＤＰ１の点灯検査を行うときの点灯パターンを示しており、この点灯パターンを表示するための点灯信号をＰＤＰ１に供給する。図７では、走査電極２２および維持電極２３は水平方向に平行に形成され、アドレス電極２８は垂直方向に平行に形成されているものとし、以降に示す点灯パターンの図面においても同様とする。図７（ａ）はシングルスキャンタイプのＰＤＰであるＰＤＰ１ａの場合であり、図７（ｂ）はデュアルスキャンタイプのＰＤＰであるＰＤＰ１ｂの場合である。ここで、ＰＤＰ１ａでは下側の辺にアドレス電極端子が形成されているものとする。また、ＰＤＰ１ｂでは上側および下側の辺にアドレス電極端子が形成されている。
【００２９】
図７（ａ）の点灯パターンでは、表示領域を水平方向に平行なストライプ形状の３つの領域Ｒ１、Ｒ２、Ｒ３に分け、各領域Ｒ１、Ｒ２、Ｒ３において赤色、緑色、青色（三原色）の単色表示を行う。ここで、表示領域に三原色がすべて表示されていれば、どの領域にどの色が表示されてもよい。
【００３０】
図７（ｂ）の点灯パターンでは、表示領域の上半分の領域と下半分の領域を、それぞれ水平方向に平行なストライプ形状の３つの領域に分け、各領域において三原色の単色表示を行う。そして、上半分の領域Ｒａ１、Ｒａ２、Ｒａ３と下半分の領域Ｒｂ１、Ｒｂ２、Ｒｂ３のそれぞれにおいて、三原色をすべて表示する。ここで、上半分の領域Ｒａ１、Ｒａ２、Ｒａ３において三原色をすべて表示させれば、どの領域にどの色が表示されてもよい。また、下半分の領域Ｒｂ１、Ｒｂ２、Ｒｂ３において三原色をすべて表示させれば、どの領域にどの色が表示されてもよい。
【００３１】
図８は、図７（ａ）の点灯パターンを表示するようにＰＤＰ１ａを駆動したときの、ＰＤＰ１ａの表示状態の一例を示している。図８に示すように、表示中にラインＬ１〜Ｌ６が認識され、ラインＬ１〜Ｌ３は黒色、ラインＬ４はピンク色、ラインＬ５は黄色、ラインＬ６は水色である。ラインＬ１〜Ｌ３は、その部分のアドレス電極が断線しているか、アドレス電極端子とＦＰＣ（信号伝達手段）の接触端子との接触不良であることを示すものである。ラインＬ４〜Ｌ６は、ＰＤＰ１ａ内において隣接するアドレス電極が短絡しているか、ＦＰＣの接触端子とアドレス電極端子との不適切な接触状態によって隣接するアドレス電極が短絡していることを示すものである。ここで、ラインＬ４では、Ｒセルのアドレス電極とＢセルのアドレス電極とが短絡しており、ラインＬ５では、Ｒセルのアドレス電極とＧセルのアドレス電極とが短絡しており、ラインＬ６では、Ｂセルのアドレス電極とＧセルのアドレス電極とが短絡していることを示している。
【００３２】
したがって、図７に示す点灯パターンを表示するための点灯信号をＰＤＰ１に供給して点灯検査を行うことにより、隣接するアドレス電極の短絡、アドレス電極の断線およびアドレス電極端子とＦＰＣの接触端子との接触不良の検出を行うことができる。このような検出を行うために、例えば、全表示領域で単色表示を行うことが考えられるが、この場合には、三原色それぞれを切り替えて点灯させる必要がある。しかし、図７の点灯パターンを用いれば、点灯パターンを切り替える必要がなく１つの点灯パターンでよいので、効率よく点灯検査を行うことができる。
【００３３】
図９は、本実施の形態における点灯パターンの他の例を示す図であり、図９（ａ）はシングルスキャンタイプのＰＤＰ１ａの場合であり、図９（ｂ）はデュアルスキャンタイプのＰＤＰ１ｂの場合である。ここで、ＰＤＰ１ａでは下側の辺にアドレス電極端子が形成されているものとする。また、ＰＤＰ１ｂでは上側および下側の辺にアドレス電極端子が形成されている。
【００３４】
図９（ａ）の点灯パターンでは、表示領域を水平方向に平行なストライプ形状の４つの領域Ｒ１、Ｒ２、Ｒ３、Ｒ４に分け、その内の３つの領域Ｒ１、Ｒ２、Ｒ３において三原色それぞれの単色表示を行い、残る１つの領域Ｒ４では白色表示を行う。ここで、白色表示を行う領域Ｒ４は、アドレス電極端子が形成されている辺から最も遠い領域とし、他の３つの領域Ｒ１、Ｒ２、Ｒ３については、表示領域に三原色がすべて表示されていれば、どの領域にどの色が表示されてもよい。
【００３５】
図９（ｂ）の点灯パターンでは、表示領域の上半分の領域と下半分の領域を、それぞれ水平方向に平行なストライプ形状の４つの領域に分けている。そして、上半分では、３つの領域Ｒａ１、Ｒａ２、Ｒａ３において三原色の単色表示を行い、残る１つの領域Ｒａ４では白色表示を行う。白色表示を行う領域Ｒａ４は、アドレス電極端子が形成されている辺から最も遠い領域とし、他の３つの領域Ｒａ１、Ｒａ２、Ｒａ３については、それらの領域に三原色がすべて表示されていれば、どの領域にどの色が表示されてもよい。同じ様に、下半分では、３つの領域Ｒｂ１、Ｒｂ２、Ｒｂ３において三原色の単色表示を行い、残る１つの領域Ｒｂ４では白色表示を行う。白色表示を行う領域Ｒｂ４は、アドレス電極端子が形成されている辺から最も遠い領域とし、他の３つの領域Ｒｂ１、Ｒｂ２、Ｒｂ３については、それらの領域に三原色がすべて表示されていれば、どの領域にどの色が表示されてもよい。
【００３６】
図１０は、図９（ｂ）の点灯パターンを表示するようにＰＤＰ１ｂを駆動したときの、ＰＤＰ１ｂの表示状態の一例を示している。図１０に示すように、表示中にラインＬ１〜Ｌ８が認識され、ラインＬ１〜Ｌ６については、図８のラインＬ１〜Ｌ６のそれぞれと同じ発生原因のものは同じ符号（Ｌ１〜Ｌ６）で示している。ラインＬ１は、領域Ｒａ１では黒色で領域Ｒａ４では水色である。ラインＬ２は、領域Ｒａ２では黒色で領域Ｒａ４ではピンク色である。ラインＬ３は、領域Ｒａ３では黒色で領域Ｒａ４では黄色である。ラインＬ４はピンク色、ラインＬ５は黄色、ラインＬ６は水色である。領域Ｒｂ４内で発生しているラインＬ７は水色であり、領域Ｒｂ２または領域Ｒｂ３内においてＲセルのアドレス電極が断線していることを示すものである。ラインＬ８はピンク色であり、領域Ｒｂ４内でＧセルのアドレス電極が断線していることを示すものである。
【００３７】
したがって、図９に示す点灯パターンを表示するための点灯信号をＰＤＰ１に供給して点灯検査を行うことにより、アドレス電極の断線、隣接するアドレス電極の短絡およびアドレス電極端子とＦＰＣの接触端子との接触不良を検出することができる。この場合も図７の場合と同様に点灯パターンを切り替える必要がなく、図９に示す１つの点灯パターンでよいので、効率よく点灯検査を行うことができる。また、図７（ａ）の点灯パターンでは、例えばＲセルのアドレス電極が領域Ｒ２または領域Ｒ３内で断線していた場合には、その断線を検出することはできない。図７（ｂ）の点灯パターンでも同様のことがいえる。しかしながら、図９の点灯パターンでは、アドレス電極端子が形成されている辺から最も遠い領域において白色表示としているので、アドレス電極がどの位置で断線していたとしても、その断線を検出することができる。なお、点灯検査の工程においてアドレス電極の断線の有無を検出する必要がない場合には、図７の点灯パターンを用いればよい。
【００３８】
以上のように、表示領域を、アドレス電極２８に沿って少なくとも３つの領域が存在するように分け、それぞれの前記領域では三原色の単色表示を行うとともに、アドレス電極２８に沿って三原色の全ての色が表示されるように駆動して検査する。また、前記領域のうち、アドレス電極端子２８ａから最も遠い領域において白色表示をするように駆動して検査する。これにより、少数の点灯パターンを用いて効率よく点灯検査を行うことができる。
【００３９】
（実施の形態２）
本発明の実施の形態２におけるＰＤＰの点灯検査方法について説明する。実施の形態２におけるＰＤＰの点灯検査装置の構成は実施の形態１で説明したものと同じであり、実施の形態１と異なる点は点灯検査に用いる点灯パターンである。
【００４０】
図１１は、実施の形態２におけるＰＤＰ１の点灯検査時の点灯パターンを示しており、この点灯パターンを表示するための点灯信号をＰＤＰ１に供給する。図１１の点灯パターンはシングルスキャンタイプまたはデュアルスキャンタイプのどちらのタイプでも適用可能である。図１１において、ＰＤＰ１の右側の辺に走査電極端子が形成されているものとする。したがって、ＰＤＰ１の左側の辺には維持電極端子が形成されている。
【００４１】
図１１の点灯パターンは、走査電極端子とＦＰＣの接触端子との接続状態などについて検査するものである。なお、維持電極２３はすべて同電位を通電され、一般的には維持電極２３の引き出し電極部あるいは電極端子部において短絡構造になっているので、接触不良等の検査時の不具合は発生しにくい。
【００４２】
図１１の点灯パターンでは、表示領域を、左半分の領域ＲＬと右半分の領域ＲＲとに分け、領域ＲＬにおいてすべての放電セルを点灯させ、領域ＲＲにおいて、偶数行の放電セルをすべて点灯させるとともに奇数行の放電セルをすべて点灯させないようにする。このように、領域ＲＬでは白色表示を行い、領域ＲＲでは偶数行が白色表示となる縞模様の表示を行う。ここで、領域ＲＲにおいて奇数行が白色表示となる縞模様の表示を行ってもよい。また、領域ＲＬと領域ＲＲとは中央の位置で分ける必要はない。さらに、領域ＲＬと領域ＲＲとの境界線が、図１１ではＰＤＰ１の短辺と平行であるが、必ずしもＰＤＰ１の短辺と平行である必要はなく、斜めになっていてもよい。
【００４３】
なお、上記の説明では、領域ＲＬでは白色表示を行い、領域ＲＲでは縞模様の白色表示としたが、白色表示でなくてもよく、例えば赤色表示や青色表示でもよく、その他の色を表示してもよい。すなわち、実施の形態２においては、表示領域を、表示電極２４に沿って複数の領域が存在するように分け、その複数の領域において、すべての行を点灯させる領域と、１行おきに点灯させる領域を設けて検査する。
【００４４】
図１２は、図１１の点灯パターンを表示するようにＰＤＰ１を駆動したときの、ＰＤＰ１の表示状態の一例を示している。図１２に示すように、表示中にラインＬ９〜Ｌ１１が認識され、ラインＬ９、Ｌ１０は黒色、ラインＬ１１は白色である。ラインＬ９は、その部分の走査電極が断線しているか、走査電極端子とＦＰＣの接触端子とが接触不良となっていることを示している。ラインＬ１０は、その部分の走査電極が領域ＲＬ内で断線していることを示している。ラインＬ１１は、隣接する走査電極が前面基板上で短絡しているか、ＦＰＣの接触端子と走査電極端子との不適切な接触状態によって隣接する走査電極が短絡していることを示している。
【００４５】
したがって、図１１に示す点灯パターンを表示するための点灯信号をＰＤＰ１に供給して点灯検査を行うことにより、走査電極の断線、隣接する走査電極の短絡および走査電極端子とＦＰＣの接触端子との接触不良の検出を行うことができる。このような検出を行うために、例えば、全表示領域ですべての放電セルを点灯させる点灯パターン（点灯パターン１とする）と、全表示領域で偶数行（または奇数行）の放電セルのみを点灯させる点灯パターン（点灯パターン２とする）とを切り替えて表示させることが考えられる。点灯パターン１は、走査電極の断線、走査電極端子とＦＰＣの接触端子との接触不良を検出するためのものである。点灯パターン２は、隣接する走査電極の短絡を検出するためのものである。しかし、図１１の点灯パターンを用いれば、点灯パターンを切り替える必要がなく１つの点灯パターンでよいので、効率よく点灯検査を行うことができる。
【００４６】
また、図１１の点灯パターンでは、走査電極端子が形成されている辺から最も遠い領域（領域ＲＬ）において、すべての放電セルを点灯させている。この点灯パターンを用いることにより、走査電極がどの位置で断線していたとしても、その断線を検出することができる。
【００４７】
（実施の形態３）
本発明の実施の形態３におけるＰＤＰの点灯検査方法について説明する。実施の形態３におけるＰＤＰの点灯検査装置の構成は実施の形態１で説明したものと同じであり、実施の形態１と異なる点は点灯検査に用いる点灯パターンである。実施の形態３における点灯パターンは、実施の形態１の点灯パターンと実施の形態２の点灯パターンとを組み合わせたものである。
【００４８】
図１３は、実施の形態３におけるＰＤＰ１の点灯検査時の点灯パターンの一例を示しており、この点灯パターンを表示するための点灯信号をＰＤＰ１ａに供給する。図１３の点灯パターンはシングルスキャンタイプのＰＤＰ１ａの場合である。図１３において、ＰＤＰ１ａの右側の辺に走査電極端子が形成され、下側の辺にアドレス電極端子が形成されているものとする。
【００４９】
図１３に示す点灯パターンでは、表示領域を水平方向に平行なストライプ形状の４つの領域Ｒ１、Ｒ２、Ｒ３、Ｒ４に分け、その内の３つの領域Ｒ１、Ｒ２、Ｒ３において三原色それぞれの単色表示を行い、残る１つの領域Ｒ４では白色表示を行う。ここで、白色表示を行う領域Ｒ４は、アドレス電極端子が形成されている辺から最も遠い領域とし、他の３つの領域Ｒ１、Ｒ２、Ｒ３については、表示領域に三原色がすべて表示されていれば、どの領域にどの色が表示されてもよい。
【００５０】
上記の点灯パターンに加え、左半分の領域ＲＬと右半分の領域ＲＲとに分け、領域ＲＬにおいては、すべての行で点灯させる。領域ＲＲにおいては、偶数行で点灯させ、奇数行では点灯させないようにする。すなわち、領域ＲＬでは、各領域Ｒ１〜Ｒ４に割り当てた色の表示を行い、領域ＲＲでは、各領域Ｒ１〜Ｒ４に割り当てた色のラインが並んだ縞模様の表示を行う。ここで、領域ＲＲにおいて奇数行で点灯させ、偶数行では点灯させないようにしてもよい。また、領域ＲＬと領域ＲＲとは中央の位置で分ける必要はない。さらに、領域ＲＬと領域ＲＲとの境界線が、図１３ではＰＤＰ１の短辺と平行であるが、必ずしもＰＤＰ１の短辺と平行である必要はなく、斜めになっていてもよい。
【００５１】
なお、図１３は、実施の形態１における図９（ａ）の点灯パターンと実施の形態２における図１１の点灯パターンとを組み合わせて得られる点灯パターンであるが、実施の形態１における点灯パターンと実施の形態２における点灯パターンとの任意の組み合わせを用いることができる。
【００５２】
図１４は、図９（ｂ）の点灯パターンと図１１の点灯パターンを組み合わせて得られる点灯パターンを表示するようにＰＤＰ１を駆動したときの、ＰＤＰ１の表示状態の一例を示している。図１４に示すように、表示中にラインＬ４、Ｌ５、Ｌ８〜Ｌ１１が認識され、これらのラインは、実施の形態１または実施の形態２で示したラインと発生原因が同じ符号で示している。ラインＬ４はピンク色、ラインＬ５は黄色、ラインＬ８はピンク色、ラインＬ９、Ｌ１０は黒色、ラインＬ１１は白色である。
【００５３】
したがって、実施の形態３による点灯パターンを表示するための点灯信号をＰＤＰ１に供給して点灯検査を行うことにより、走査電極の断線、隣接する走査電極の短絡、走査電極端子とＦＰＣの接触端子との接触不良、アドレス電極の断線、隣接するアドレス電極の短絡、および、アドレス電極端子とＦＰＣの接触端子との接触不良を検出することができる。このとき、点灯パターンは１つのパターンでよく、複数の点灯パターンを切り替える必要はないので、効率よく点灯検査を行うことができる。また、実施の形態３における点灯パターンは、実施の形態１における点灯パターンと実施の形態２における点灯パターンとを足したものであるので、実施の形態３によれば、実施の形態１および実施の形態２のそれぞれで得られる効果と同様の効果を得ることができる。
【００５４】
なお、上記の各実施の形態において、ＰＤＰ１の表示状態から断線や短絡などの有無を判断することは、検査員が目視で行うことも可能であり、ＣＣＤカメラを使用した画像認識システムを使用することも可能である。
【００５５】
以上のように、上記の各実施の形態における点灯パターンを表示するための点灯信号をＰＤＰ１に供給して点灯検査を行うことにより、走査電極の断線、隣接する走査電極の短絡、走査電極端子とＦＰＣの接触端子との接触不良、アドレス電極の断線、隣接するアドレス電極の短絡、アドレス電極端子とＦＰＣの接触端子との接触不良を短時間で検出することができる。
【産業上の利用可能性】
【００５６】
以上のように本発明によれば、少数の点灯パターンによってＰＤＰの電極の断線、隣接する電極の短絡、または電極端子と信号伝達手段の接触端子との接触不良を検出することができ、ＰＤＰの点灯検査を行うときに有用である。
【図面の簡単な説明】
【００５７】
【図１】プラズマディスプレイパネルの構造を示す部分切り欠き斜視図
【図２】（ａ）、（ｂ）は同プラズマディスプレイパネルの平面図
【図３】同プラズマディスプレイパネルのセル配列を模式的に示す図
【図４】同プラズマディスプレイパネルを駆動するときのサブフィールド構成の一例を示す図
【図５】同プラズマディスプレイパネルを駆動するときの駆動波形図
【図６】本発明の実施の形態１におけるプラズマディスプレイパネルの点灯検査装置のブロック構成図
【図７】（ａ）、（ｂ）は実施の形態１におけるプラズマディスプレイパネルの点灯検査を行うときの点灯パターンを示す図
【図８】実施の形態１における点灯検査時のプラズマディスプレイパネルの表示状態の一例を示す図
【図９】（ａ）、（ｂ）は実施の形態１におけるプラズマディスプレイパネルの点灯検査を行うときの点灯パターンの他の例を示す図
【図１０】実施の形態１における点灯検査時のプラズマディスプレイパネルの表示状態の一例を示す図
【図１１】実施の形態２におけるプラズマディスプレイパネルの点灯検査を行うときの点灯パターンを示す図
【図１２】実施の形態２における点灯検査時のプラズマディスプレイパネルの表示状態の一例を示す図
【図１３】実施の形態３におけるプラズマディスプレイパネルの点灯検査を行うときの点灯パターンを示す図
【図１４】実施の形態３における点灯検査時のプラズマディスプレイパネルの表示状態の一例を示す図
【図１５】従来のプラズマディスプレイパネルの点灯検査装置の構成図
【図１６】プラズマディスプレイパネルの電極端子と信号伝達手段の接触端子とを接触させた状態を示す図
【符号の説明】
【００５８】
１  プラズマディスプレイパネル（ＰＤＰ）
２１  前面基板
２２  走査電極
２２ａ  走査電極端子
２３  維持電極
２３ａ  維持電極端子
２４  表示電極
２７  背面基板
２８  アドレス電極
２８ａ  アドレス電極端子
【図１】
2007294176.tif 000003
【図２】
2007294176.tif 000004
【図３】
2007294176.tif 000005
【図４】
2007294176.tif 000006
【図５】
2007294176.tif 000007
【図６】
2007294176.tif 000008
【図７】
2007294176.tif 000009
【図８】
2007294176.tif 000010
【図９】
2007294176.tif 000011
【図１０】
2007294176.tif 000012
【図１１】
2007294176.tif 000013
【図１２】
2007294176.tif 000014
【図１３】
2007294176.tif 000015
【図１４】
2007294176.tif 000016
【図１５】
2007294176.tif 000017
【図１６】
2007294176.tif 000018